(57)【要約】 【課題】保温機能を備えた携帯用飲料容器において、直接喫飲とストロー喫飲の双方を不都合なく有効に行うことができる容器を提供する。【解決手段】断熱構造の液体容器Ａと、液体容器Ａの上方開口部に着脱自在に装着する蓋体Ｂで構成され、蓋体Ｂが、上方開口部を塞ぐ蓋板部４１と、蓋板部の周囲に設けた飲み口となる周壁部４２と、蓋板部の適宜位置に設けた流出口４３と、前記流出口４３を開閉する開閉蓋５を備え、前記流出口４３における開閉蓋当接箇所より下方に、適宜な液体流出量を確保できると共に、ストロー嵌合保持部を備えたストロー保持孔４５を形成してなる。【選択図】図１
2016069006.tif 000002
【特許請求の範囲】
【請求項１】
断熱構造の液体容器と、前記液体容器の上方開口部に着脱自在に装着する蓋体で構成され、蓋体が、前記上方開口部を塞ぐ蓋板部と、蓋板部の周囲に設けた飲み口となる周壁部と、蓋板部の適宜位置に設けた流出口と、前記流出口を開閉する開閉蓋を備え、前記流出口における開閉蓋当接箇所より下方に、適宜な液体流出量を確保できると共に、ストロー嵌合保持部を備えたストロー保持孔を形成してなることを特徴とする携帯用飲料容器。
【請求項２】
ストロー保持孔が、容器体の半径方向において、略流出口直径長を備えてなる請求項１記載の携帯用飲料容器。
【請求項３】
ストロー保持孔を縦長形状に形成すると共に、広幅部分と細幅部分からなる大小二箇所のストロー嵌合保持部を備えた請求項２記載の携帯用飲料容器。
【請求項４】
ストロー保持孔を、広幅と細幅の十文字形状に形成すると共に、前記の広幅部分と細幅部分からなる大小二箇所のストロー嵌合保持部を備えた請求項２記載の携帯用飲料容器。
【請求項５】
ストロー保持孔を、柔軟部材で形成すると共に、ストロー保持可能な十文字細孔と、前記十文字細孔端に流出円孔で構成してなる請求項１記載の携帯用飲料容器。
【請求項６】
ストロー保持孔を、ストロー保持可能な小孔と、小孔周囲に設けた流出孔で構成してなる請求項１記載の携帯用飲料容器。
【請求項７】
開閉蓋を、蓋板部、周壁部及び流出口を備えた蓋体の本体部に煽り回動自在に組み込むと共に、流出口密閉時に開閉蓋を係止する係止機構を備えてなる請求項１乃至６記載の何れかの携帯用飲料容器。
【請求項８】
開閉蓋に、流出口を密閉する嵌合栓部と、流出口を密閉した際に蓋体外周から突出する係止突部を設けると共に、蓋体の本体部に前記係止突部に掛け止めする鉤体を設けてなる請求項７記載の携帯用飲料容器。
【発明の詳細な説明】
【技術分野】
【０００１】
本発明は、保温構造を備えた携帯用飲料容器に関するものである。
【背景技術】
【０００２】
保温構造を備えた携帯用飲料容器としては、金属製真空二重構造のものや樹脂製二重構造のものが広く知られており、例えば真空二重容器で飲み口から直接喫飲する直飲タイプとしては、液体容器の上方開口部に装着した蓋体が、飲み口となる周壁部を備え、周壁部に囲繞された底面に流出口を設けると共に、流出口の開閉を行う回動蓋部を設けたものが知られている（特許文献１，２）。
【先行技術文献】
【特許文献】
【０００３】
【特許文献１】特許３４４８７５０号公報。
【特許文献２】特開２００２−１０２０７８号公報。
【発明の概要】
【発明が解決しようとする課題】
【０００４】
ところで近年コンビニエンスストア等は、その場で調製したドリップコーヒーを、セルフ方式やフルサービス方式で販売しており、同飲料は紙コップかプラスチック製コップ等の使い捨ての専用容器で提供されている。特にアイスコーヒーの場合には、氷を入れ、ストローで喫飲するようにしているものである。
【０００５】
前記の使い捨て容器は、保温機能を備えていないので、時間をおいてしまうと氷が解けてコーヒーが薄くなってしまう。市場に多数流通している携帯用の保温機能を備えた携帯用の容器に移し替え、若しくは直接コーヒーマシンから注入すると、保温携帯を実現することができるが、ストロー喫飲と通常喫飲（直接喫飲）の双方が有効的に実現する機能を備えている容器は提供されていない。
【０００６】
例えば前記特許文献１には、流出口にストローを差し込んで喫飲することが可能であることが開示されているが、特許文献１，２の各流出口が略円形であるために、流出口の口径をストローが密装着される口径とすれば、ストロー喫飲に適するといえるが、逆にストローを使用し無い直接喫飲においては、流出量が少ないとう問題が生じ、流出口を相応に大きくすると流出口に差し入れたストローが遊び状態で安定しない。
【０００７】
そこで本発明は、ストロー使用も適切に行うことができる新規な携帯用飲料容器を提案したものである。
【課題を解決するための手段】
【０００８】
本発明の請求項１記載に係る携帯用飲料容器は、断熱構造の液体容器と、前記液体容器の上方開口部に着脱自在に装着する蓋体で構成され、蓋体が、前記上方開口部を塞ぐ蓋板部と、蓋板部の周囲に設けた飲み口となる周壁部と、蓋板部の適宜位置に設けた流出口と、前記流出口を開閉する開閉蓋を備え、前記流出口における開閉蓋当接箇所より下方に、適宜な液体流出量を確保できると共に、ストロー嵌合保持部を備えたストロー保持孔を形成してなることを特徴とするものである。
【０００９】
而して飲料を保温状態で携帯できると共に、開閉蓋を開放して周壁部（飲み口）に口を当てて喫飲（直接喫飲）することができ、また開閉蓋を開放してストローをストロー保持孔に挿入し、ストロー嵌合保持部で保持させて、ストローが安定した状態で最適なストロー喫飲を行うことができるものである。
【００１０】
また本発明の請求項２記載に係る携帯用飲料容器は、特にストロー保持孔が、容器体の半径方向において、略流出口直径長を備えてなるもので、液体容器を傾けて直接喫飲する場合でも、ストロー保持孔の外周側部分から飲料が流れ出し、中心側部分から外気が導入されるので、喫飲をスムーズに行うことができる。
【００１１】
本発明の請求項３記載に係る携帯用飲料容器は、ストロー保持孔を縦長形状に形成すると共に、広幅部分と細幅部分からなる大小二箇所のストロー嵌合保持部を備えたものであり、請求項４記載に係る携帯用飲料容器は、ストロー保持孔を、広幅と細幅の十文字形状に形成すると共に、前記の広幅部分と細幅部分からなる大小二箇所のストロー嵌合保持部を備えたものである。
【００１２】
前記の携帯用飲料容器は、直接喫飲もストロー喫飲も最適に行われると共に、広幅部分と細幅部分の大小二箇所のストロー嵌合保持部を備えているので、例えばコーヒー購入店舗で提供されるストロー径に大小相違があったとしても、何らの支障もなく最適なストロー喫飲を行うことができる。
【発明の効果】
【００１３】
本発明の構成は上記のとおりで、保温状態で携帯した飲料を、飲み口（周壁部）に直接口を当てて直接喫飲できる他、流出口に単にストローを挿入しての喫飲ではなく、ストローを嵌合保持することができるので、ストローが揺れることなく安定した状態で、ストロー喫飲を可能としたものである。
【図面の簡単な説明】
【００１４】
【図１】本発明の実施形態の全体斜視図（開口状態）。
【図２】同平面図。
【図３】同断面図で（イ）は流出口解放時、（ロ）は流出口閉塞時を示す。
【図４】同別例図（第二実施例）で、（イ）は流出口拡大断面図、（ロ）は全体斜視図。
【図５】同別例図（第三実施例）で、（イ）は流出口拡大断面図、（ロ）は全体斜視図。
【図６】同別例図（第四実施例）で、（イ）は流出口拡大断面図、（ロ）は全体斜視図。
【発明を実施するための形態】
【００１５】
次に本発明の実施形態について説明する。実施形態に示した携帯用飲料容器は、液体容器Ａと前記液体容器Ａの上方開口部に着脱自在に装着した蓋体Ｂで構成される。
【００１６】
液体容器Ａは、コンビニエンスストアに設置されているコーヒーマシンから調製されたコーヒーを受け止めことができる大きさ、即ち当該ストアで提供している使い捨てコップ同様の大きさで、薄金属板（一般的にはステンレス薄板）で形成した内外容器１，２の上縁部を溶着すると共に、両容器間の空間を真空状態（減圧状態）として断熱機能を付与したものである。また上方開口部内周面には、螺合用の螺条３を周設しているものである。
【００１７】
蓋体Ｂは、前記螺条３に螺合装着される本体部４と、本体部４に付設される開閉蓋５で構成され、本体部４は、液体容器装着時に上方開口部を塞ぐ蓋板部４１と、蓋板部４１の周囲に設けた飲み口となる周壁部４２と、蓋板部４１の適宜位置（周壁内面の近傍箇所）に設けた流出口４３と、前記流出口４３の形成箇所の周壁部４２の外周面に、ロの字状で横辺の一方を軸支し、他方を係止辺として設けた鉤体４４を備えているものである。
【００１８】
また前記流出口４３における後述する開閉蓋５の密閉当接箇所（嵌合栓部５２が嵌合当接する箇所）より下方に、ストロー保持孔４５を形成したものである。
【００１９】
ストロー保持孔４５は、長手方向が流出口の半径方向長と一致する縦長形状に形成して、適宜な液体流出量を確保できる大きさとしたもので、特に太径のストローＣが挿入嵌合する大きさの広幅に形成した第一ストロー嵌合保持部４５１と、更に中心側に細径のストローＣが挿入嵌合する大きさの細幅に形成した第二ストロー嵌合保持部４５２を設けたものである。
【００２０】
開閉蓋５は、蓋部５１の基部を周壁部４２に枢支して開閉動作可能に設け、閉じた際に流出口４３と対面する位置に嵌合栓部５２を設けて、流出口４３の密閉を可能とし、更に蓋部５１の先端分に、閉塞時に周壁部４２を越えて本体部４の外方に突出し、前記の鉤体４４の掛け止めを行うことができる係止突部５３を設けたものである。
【００２１】
而して前記の携帯用飲料容器は、蓋体Ｂを外し、コーヒーマシンからコーヒーを注ぎ入れ、或いは適宜な好みの飲料を注ぎ入れる等して、液体容器Ａに飲料を入れ、蓋体Ｂを装着する。
【００２２】
携帯に際しては、開閉蓋５を閉じ、係止突部５３に鉤体４４を掛け止めするもので、流出口４３は嵌合栓部５２が嵌め込まれて、密封が実現しているもので、液漏れが生ずる虞も無く、何ら支障なく携帯することができる。
【００２３】
喫飲時は、鉤体４４の掛け止めを外し、係止突部５３を持って開閉蓋５を回動させ、流出口４３から嵌合栓部５２を引き抜き、流出口４３を開口する。そのまま周壁部（飲み口）４２に口を当てて液体容器Ａを傾けると、ストロー保持孔４５の外周側部分から飲料が流れ出し、中心側部分から外気が導入されるので、喫飲がスムーズに行える。
【００２４】
またストローＣを使用してのストロー喫飲に際しては、当該ストローＣを、第一ストロー嵌合保持部４５１又は第二ストロー嵌合保持部４５２の何れかを選択して挿入嵌合する。この際にストローＣは、挿入嵌合時に密嵌するか僅かな変形でしっかりと保持されることになり、安定した状態で最適なストロー喫飲を行うことができるものである。
【００２５】
尚鉤体４４は、温かい飲料を携帯した場合に、内部の圧力上昇で嵌合栓部５２が押し上げられて、流出口４３が開口するのを防止するものである。
【００２６】
また本発明は、前記の実施形態に限定されるものでは無く、例えば図４に示す第二実施例のように、ストロー保持孔４５ａを、半径方向の広幅部４５３と円周方向の細幅部４５４の十文字形状に形成すると、広幅部４５３と細幅部４５４が大小のストロー嵌合保持部となるものである。
【００２７】
更に図５に示す第三実施例のように、流出口４３の裏面周壁にストロー保持部材４５ｂを装着する構造を採用しても良い。前記ストロー保持部材４５ｂは柔軟質材で形成すると共に、ストロー保持可能な十文字細孔４５５と、前記十文字細孔４５５の端部に形成した流出円孔４５６で構成し、十文字細孔４５５の中心にストローＣを圧挿入してストローＣの保持を実現し、流出円孔４５６によって、直接喫飲時の液体流出量の確保を実現するものである。
【００２８】
更に図６に示す第四実施例のように、ストロー保持孔４５ｃを、流出口４３より一段低い位置に設け小孔４５７と、流出口４３の下方周面に設けた流出孔４５８で構成し、小孔４５７でストローＣの嵌合保持を行って安定したストロー喫飲を可能とし、流出孔４５８で直接喫飲時の液体流出量を確保するようにしても良い。
【００２９】
また本発明は流出口４３に設けたストロー保持孔４５，４５ａ，４５ｂ，４５ｃ等に特徴を有するもので、液体容器Ａの構成及び蓋体Ｂにおける前記以外の構成は全く任意であり、例えば従来技術として示した特許文献２に開示されているような、開閉蓋に付勢力を備えさせ、或いは嵌合栓部に替えて弾性栓部として開閉蓋を閉じた際に弾性反発力が生ずるようにして、適宜な開閉蓋のロック機構を備える携帯用飲料容器としても良い。
【符号の説明】
【００３０】
Ａ      液体容器
１      内容器
２      外容器
３      螺条
Ｂ      蓋体
４      本体部
４１    蓋板部
４２    周壁部
４３    流出口
４４    鉤体
４５，４５ａ，４５ｃ    ストロー保持孔
４５ｂ  ストロー保持部材    
４５１  第一ストロー嵌合保持部
４５２  第二ストロー嵌合保持部
４５３  広幅部
４５４  細幅部
４５５  十文字細孔
４５６  流出円孔
４５７  小孔
４７８  流出孔
５      開閉蓋
５１    蓋部
５２    嵌合栓部
５３    係止突部
【図１】
2016069006.tif 000003
【図２】
2016069006.tif 000004
【図３】
2016069006.tif 000005
【図４】
2016069006.tif 000006
【図５】
2016069006.tif 000007
【図６】
2016069006.tif 000008